【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
複数の部位で架橋して固体材料を形成することが可能なポリマーであるか、またはエンジニアリングプラスチックである、主成分；および
該主成分に結合可能な第一の末端を有しかつ非結合のまま残る第二の末端を有するポリマーである、少量成分；
を含む組成物であって、
該少量成分の少なくとも一部の第二の末端がコーティングの表面に配置され；かつ
該コーティングが両疎媒性である
ように基体に適用され、乾燥および/または硬化されて該基体上にコーティングを形成するよう適合されている、前記組成物。
【請求項２】
前記少量成分ポリマーが、約-160℃〜25℃の範囲のガラス転移温度（Tg）を有する、請求項1に記載の組成物。
【請求項３】
前記主成分が、ポリウレタン、エポキシ樹脂、ナイロン6、ナイロン6-6、ポリ(アクリレート)、ポリアミド、ポリ(ブチレンテレフタレート)、ポリカーボネート、ポリ(エーテルケトン)、ポリ(エーテルエーテルケトン)、ポリエチレン、ポリ(エチレンテレフタレート)、ポリイミド、ポリ(メタクリレート)、ポリ(オキシメチレン)、ポリ(フェニレンスルフィド)、ポリ(フェニレンオキシド)、ポリプロピレン（アイソタクチック）、ポリスルホン、ポリスチレン、またはそれらの組み合わせを含む、請求項1または2に記載の組成物。
【請求項４】
前記コーティングが実質的に透明である、請求項1〜3のいずれか一項に記載の組成物。
【請求項５】
前記主成分が、ポリウレタンまたはエポキシ樹脂を含む、請求項4に記載の組成物。
【請求項６】
前記少量成分が、前記組成物の約0.1重量％〜約40重量％を構成する、請求項1〜5のいずれか一項に記載の組成物。
【請求項７】
前記少量成分ポリマーが、約25℃以下のTgを有し、かつ、ペルフルオロポリエーテル（PFPE）、ポリシロキサン、ポリ(エチレングリコール)メチルエーテル（PEO）、ポリイソブチレン（PIB）、ポリブタジエン（PB）、または：エチレン（アタクチック）、1-ブテン、エチレン、シス-イソプレン、トランス-イソプレン、1-オクテン、プロピレン、ビニルプロピオネート、ビニリデンクロリド、ビニリデンフルオリド、シス-クロロブタジエン、トランス-クロロブタジエン、ベンジルアクリレート、ブチルアクリレート、sec-ブチルアクリレート、2-シアノエチルアクリレート、シクロヘキシルアクリレート、ドデシルアクリレート、エチルアクリレート、2-エチルヘキシルアクリレート、イソブチルアクリレート、2,2,2-トリフルオロエチルアクリレート、2-エトキシエチルアクリレート、イソプロピルアクリレート（アイソタクチック）、ベンジルメタクリレート、ジエチルアミノエチルメタクリレート、ドデシルメタクリレート、2-エチルヘキシルメタクリレート、ヘキサデシルメタクリレート、ヘキシルメタクリレート、オクタデシルメタクリレート、オクチルメタクリレート、プロピルビニルエーテル、メチルビニルエーテル、メチルグリシジルエーテル、イソブチルビニルエーテル、エチルビニルエーテル、2-エチルヘキシルビニルエーテル、ドデシルビニルエーテル、ブチルビニルエーテル、ブチルグリシジルエーテル、アリルグリシジルエーテル、エチレンオキシド、プロピレンオキシド、テトラヒドロフラン、1,2-エポキシブタン、1,2-エポキシデカン、1,2-エポキシオクタン、エピブロモヒドリン、エピクロロヒドリン、トリメチレンオキシド、エピブロモヒドリン、エピクロロヒドリン、テトラメチレンテレフタレート、テトラメチレンアジペート、エチレンマロネート、エチレンアジペート、ε-カプロラクトン、ジメチルシロキサン、メチルフェニルシロキサン、ホルムアルデヒド、エチレン-トランス-1,4-シクロヘキシルジカルボキシレート、アセトアルデヒド、もしくはポリ(1-グリシジル-3-ブチルイミダゾリウムビス(トリフルオロメタンスルホニル)イミド)（「ポリGBIMTFSI」）のポリマー型；またはホスファゼンポリマー
2017534724.tif 000001
〔式中、R1およびR2は、CH3、C6H5、OCH3、OC6H5、NR2、Cl、Br、F、OCH2CF3、またはOCH2C6H5である〕；
あるいはそれらの任意の組み合わせから選択される、請求項6に記載の組成物。
【請求項８】
殺生物剤；シリカ、二酸化チタン、珪藻土、アルミナ、TiO2、および/または色素から選択される埋込粒子をさらに含む、請求項1〜7のいずれか一項に記載の組成物。
【請求項９】
前記少量成分が、式（1）のグラフトコポリマーまたは式（2）のブロックコポリマーである、請求項1に記載の組成物：
2017534724.tif 000002
式中、FSは、PFPE、ポリシロキサン、PEO、PIB、PB、請求項7に記載のTgが25℃以下のポリマー、またはそれらの任意の組み合わせ、を含む部分であり；
Rは、ヒドロキシル、アミン（NH2）、イミン（NH）、カルボキシル、グリシジル、イソシアナト、または保護されているかもしくは保護されていない無水物官能基、を含む部分であり；
Miは、スチレン、アクリレート、メタクリレート、ビニルエステル、アクリル酸、メタクリル酸、アミンを有するモノマー、無水物を有するモノマー、ポリイミン/ポリアミン、またはポリカルボン酸/ポリ無水物、から選択されるモノマーであり；
xは、FS部分の割合（％）であって、約0.1％〜約40％であり；
yは、R部分の割合（％）であって、約1％〜約90％であり；
nは、反復単位の数である。
【請求項１０】
FSが、FSをコポリマーのRまたはMiに連結する少なくとも1つの部分をさらに含む、請求項9に記載の組成物。
【請求項１１】
PFPE部分が、Demnum、Fluorolink Diol、Fomblin Z、Krytox(登録商標)、またはAflunoxである、請求項9に記載の組成物。
【請求項１２】
前記少量成分が以下を含む、請求項9に記載の組成物：
PFPE-b-P(HEMA-S-MMA)；PDMS-b-[HEMA-S-MMA]；PDMS-b-PGMA；Polyol-g-PIB；Polyol-g-PB；P(S-MMA-MAA-BMA-IBMA-VP-EGEMA-HEMA)-g-PFPE；P(TFEMA-co-HEMA)-g-PFPE；P(S-MMA-MAA-BMA-IBMA-VE-EGEMA-HEMA)-g-PDMS；P(S-alt-MA)-g-PEO750；P(S-alt-MA)-g-PEO2000；P(S-alt-MA)-g-PEO5000；PFPE-b-P(HEMA-S-MMA)；PDMS-b-[HEMA-S-MMA]；PDMS-b-PGMA；Polyol-g-PIB；Polyol-g-PB；またはそれらの任意の組み合わせ。
【請求項１３】
FSがポリジメチルシロキサンを含む、請求項9に記載のコーティング組成物。
【請求項１４】
FSが以下を含む、請求項10に記載の組成物：
CH2=CH-CO2-ポリシロキサン；CH2=CH-CO2-PDMS；CH2=C(CH3)-CO2-ポリシロキサン；CH2=C(CH3)-CO2-PDMS；CH2=CH-CO2-PFPE；CH2=CH-CO2-Krytox；CH2=C(CH3)-CO2-PFPE；CH2=C(CH3)-CO2-Krytox；またはCH2=C(CH3)COOCH2CH2OOCCF(CF3)[CF2-CF(CF3)O]iCF3。
【請求項１５】
FSが、C10〜C2000ペルフルオロポリエーテル部分を含むPFPE部分を含む、請求項9に記載の組成物。
【請求項１６】
前記少量成分が、ポリシロキサン、PFPE、PEO、もしくはPIB、またはそれらの任意の組み合わせを含み；
ポリシロキサン、PFPE、PEO、PIB、またはそれらの任意の組み合わせはポリマーにグラフトされ、該ポリマーは、ポリアクリレート、ポリメタクリレート、ポリアクリル酸、ポリメタクリル酸、ポリスチレン、ポリビニルエステル、ポリイミン/ポリアミン、ポリカルボン酸/ポリ無水物、またはそれらの任意の組み合わせから選択される、請求項7に記載の組成物。
【請求項１７】
FS部分が以下を含む、請求項9に記載の組成物：
ポリアクリレート-g-ポリシロキサン；ポリメタクリレート-g-ポリシロキサン；ポリ(アクリル酸)-g-ポリシロキサン；ポリ(メタクリル酸)-g-ポリシロキサン；ポリスチレン-g-ポリシロキサン；ポリ(ビニルエステル)-g-ポリシロキサン；ポリアクリレート-g-PFPE；ポリメタクリレート-g-PFPE；ポリ(アクリル酸)-g-PFPE；ポリ(メタクリル酸)-g-PFPE；ポリスチレン-g-PFPE；ポリビニルエステル-g-PFPE；PEI-g-PDMS；P(S-alt-MA)-g-PDMS；ポリアクリレート-b-ポリシロキサン；ポリメタクリレート-b-ポリシロキサン；ポリアクリル酸-b-ポリシロキサン；ポリメタクリル酸-b-ポリシロキサン；ポリスチレン-b-ポリシロキサン；ポリビニルエステル-b-ポリシロキサン；ポリアクリレート-b-PFPE；ポリメタクリレート-b-PFPE；ポリ(アクリル酸)-b-PFPE；ポリ(メタクリル酸)-b-PFPE；ポリスチレン-b-PFPE；ポリ(ビニルエステル)-b-PFPE；またはPDMS-b-PGMA。
【請求項１８】
ポリシロキサン、PFPE、PEO、PIB、またはPB部分を含む、ポリオール、ポリアミン、ポリイミン、ポリ(カルボン酸)、またはポリ無水物である、コポリマー；
ジ-、トリ-、またはポリ-イソシアネート；ならびに、任意で
ポリシロキサンも、PFPEも、PEOも、PIBも、PB部分も含まない、ポリオール、ポリアミン、ポリイミン、ポリ(カルボン酸)、および/またはポリ無水物；
を混ぜ合わせることによって調製されたポリウレタン系コーティング組成物であって、
約0.1重量％〜約40重量％のシロキサン、フッ素、PEO、PIB、またはPBを含む、前記コーティング組成物。
【請求項１９】
ポリシロキサン、PFPE、PEO、PIB、またはPB部分を含む前記ポリオールが、Polyol-g-PIBである、請求項18に記載のポリウレタン系コーティング組成物。
【請求項２０】
ポリシロキサン、PFPE、PEO、PIB、またはPB部分を含む前記ポリ無水物が、P(S-alt-MA)-g-PEOである、請求項20に記載のポリウレタン系コーティング組成物。
【請求項２１】
少なくとも1つの官能性部分と、ポリシロキサン、PFPE、PEO、PIB、およびPB部分のうちの少なくとも1つとを含む、ポリマー；
エポキシ樹脂；ならびに
任意で硬化剤；ならびに
任意で溶媒；
を混ぜ合わせることによって調製された、エポキシ系コーティング組成物。
【請求項２２】
前記エポキシ樹脂が、ポリグリシジルビスフェノールAジグリシジルエーテル、ビスフェノールF、ビスフェノールS、ノボラックエポキシ樹脂、脂肪族エポキシ樹脂、グリシジルアミンエポキシ樹脂、またはそれらの任意の組み合わせを含む、請求項21に記載のエポキシ系コーティング組成物。
【請求項２３】
前記ポリマーが
2017534724.tif 000003
を含む、請求項21または22のいずれか一項に記載のエポキシ系コーティング組成物。
【請求項２４】
ポリシロキサン、PFPE、PEO、PIB、もしくはPB部分を含む、ポリオール、ポリアミン、ポリイミン、ポリ(カルボン酸)、もしくはポリ無水物である、コポリマーか、または請求項7に記載の25℃以下のTgを有するポリマー
を混ぜ合わせることによって調製された、ポリウレタン系コーティング組成物。
【請求項２５】
120℃以上のTgを有するポリマーであるか、またはエンジニアリングプラスチックである、主成分；および
請求項7に記載の、25℃以下のTgを有し、該主成分に結合可能な第一の末端を有し、かつ非結合のまま残る第二の末端を有するポリマーである、少量成分；
を含む組成物であって、
該少量成分の少なくとも一部の第二の末端がコーティングの表面に配置され；かつ
該コーティングが両疎媒性である
ように基体に適用され、乾燥および/または硬化されて該基体上にコーティングを形成するよう適合されている、前記組成物。
【請求項２６】
請求項1〜25のいずれか一項に記載の組成物を基体に適用する段階を含む方法であって；
該組成物が該基体上にコーティングを形成し；
該コーティングが両疎媒性である、前記方法。
【請求項２７】
前記組成物を乾燥および/または硬化させて前記コーティングを形成させる段階をさらに含む、請求項26に記載の方法。